(57)【特許請求の範囲】
【請求項１】
時系列に値が変動する項目の識別情報である項目識別情報と、少なくとも１つ以上の文が含まれる文書の識別情報である文書識別情報と、前記文書に含まれる予め指定された評価表現である指定語の数を示す指定語数とが対応付けられた情報テーブルを参照し、特定の前記項目識別情報に対応する前記指定語数を前記情報テーブルから取得する指定語数取得部と、
前記項目識別情報に対応する値の時系列変動を取得し、前記特定の項目識別情報に対応付けられ且つ入力された検索語を含む前記文書識別情報の数を前記情報テーブルから抽出し、前記抽出した検索語を含む文書識別情報の数の時系列情報と前記時系列変動との相関度を取得する相関度取得部と、
前記相関度取得部により取得された相関度と、前記指定語数取得部により取得された指定語数とに基づいて、前記検索語と前記項目識別情報との関連度を示す指標値を取得する指標値取得部と、
を備える情報処理システム。
【請求項２】
前記指標値取得部は、前記検索語が前記時系列変動に与える影響を示す指標値を取得する、
請求項１記載の情報処理システム。
【請求項３】
前記情報テーブルには、前記文書識別情報に対応付けられた文である文情報と、前記文情報ごとの指定語数と、前記文書識別情報に対応付けられた日付が記憶され、
前記相関度取得部は、前記文書識別情報に対応付けられた日付に基づいて日ごとに前記検索語を含む前記文書識別情報の数を取得し、前記文書識別情報の数が閾値以上である日付と前記時系列変動の値の変動値が所定値以上である日付との合致度に基づく値を前記文書識別情報の数と前記時系列変動との相関度として取得する、
請求項１または請求項２記載の情報処理システム。
【請求項４】
前記相関度取得部は、前記文書識別情報の数が閾値以上である日付と前記時系列変動の値の変動値が所定値以上である日付とのうち一方または両方の日付をずらして合致度に基づく値を前記文書識別情報の数と前記時系列変動との相関度として取得する、
請求項３項記載の情報処理システム。
【請求項５】
前記相関度取得部は、前記文書識別情報の数の取得の対象となった日付より前の日付に対応づけられた前記文書識別情報の数に基づいて前記閾値を取得する、
請求項３又は請求項４記載の情報処理システム。
【請求項６】
前記指定語は、肯定的な表現を示す肯定語、または否定的な表現を示す否定語であり、
前記指標値取得部は、
前記指定語が肯定語である場合は、前記相関度取得部により取得された相関度、および前記指定語数取得部により取得された肯定語数に基づいて、前記検索語と前記項目識別情報との肯定的な意味を持つ関連度を示す指標値を取得し、
前記指定語が否定語である場合は、前記相関度取得部により取得された相関度、および前記指定語数取得部により取得された否定語数に基づいて、前記検索語と前記項目識別情報との否定的な意味を持つ関連度を示す指標値を取得する、
請求項１から請求項５のうちいずれか一項記載の情報処理システム。
【請求項７】
コンピュータが、
時系列に値が変動する項目の識別情報である項目識別情報と、少なくとも１つ以上の文が含まれる文書の識別情報である文書識別情報と、前記文書に含まれる予め指定された評価表現である指定語の数を示す指定語数とが対応付けられた情報テーブルを参照し、特定の前記項目識別情報に対応する前記指定語数を前記情報テーブルから取得する指定語数取得ステップと、
前記項目識別情報に対応する値の時系列変動を取得し、前記特定の項目識別情報に対応付けられ且つ入力された検索語を含む前記文書識別情報の数を前記情報テーブルから抽出し、前記抽出した検索語を含む文書識別情報の数の時系列情報と前記時系列変動との相関度を取得する相関度取得ステップと、
前記相関度取得ステップにより取得された相関度と、前記指定語数取得ステップにより取得された指定語数とに基づいて、前記検索語と前記項目識別情報との関連度を示す指標値を取得する指標値取得ステップと、
を有する情報処理方法。
【請求項８】
コンピュータに、
時系列に値が変動する項目の識別情報である項目識別情報と、少なくとも１つ以上の文が含まれる文書の識別情報である文書識別情報と、前記文書に含まれる予め指定された評価表現である指定語の数を示す指定語数とが対応付けられた情報テーブルを参照し、特定の前記項目識別情報に対応する前記指定語数を前記情報テーブルから取得する指定語数取得ステップと、
前記項目識別情報に対応する値の時系列変動を取得し、前記特定の項目識別情報に対応付けられ且つ入力された検索語を含む前記文書識別情報の数を前記情報テーブルから抽出し、前記抽出した検索語を含む文書識別情報の数の時系列情報と前記時系列変動との相関度を取得する相関度取得ステップと、
前記相関度取得ステップにより取得された相関度と、前記指定語数取得ステップにより取得された指定語数とに基づいて、前記検索語と前記項目識別情報との関連度を示す指標値を取得する指標値取得ステップと、
を実行させるためのコンピュータプログラム。
【発明の詳細な説明】
【技術分野】
【０００１】
本発明は、情報処理システム、情報処理方法、およびコンピュータプログラムに関する。
【背景技術】
【０００２】
従来、ユーザから入力されたキーワードを受け付け、個々の文書を閲覧することなく多様性を考慮した情報提示を実現する情報検索装置が提案されている（例えば特許文献１参照）。この情報検索装置は、検索クエリの使用頻度が大きいと判定した場合には、検索クエリを含む検索ログから算出された統計情報を利用して、検索クエリに対して１つ以上の追加のキーワードを含む絞り込みクエリを特定する。情報検索装置は、特定した絞り込みクエリを利用してユーザが望むと想定される情報を生成する。
【先行技術文献】
【特許文献】
【０００３】
【特許文献１】特開２０１４−９９０６２号公報
【発明の概要】
【発明が解決しようとする課題】
【０００４】
しかしながら、従来の装置では、利用者にとって利用価値が高い情報を提供できない場合があった。
上記事情に鑑み、本発明は、利用者にとってより利用価値が高い情報を提供可能な技術の提供を目的としている。
【課題を解決するための手段】
【０００５】
本発明の一態様は、時系列に値が変動する項目の識別情報である項目識別情報と、少なくとも１つ以上の文が含まれる文書の識別情報である文書識別情報と、前記文書に含まれる予め指定された評価表現である指定語の数を示す指定語数とが対応付けられた情報テーブルを参照し、特定の前記項目識別情報に対応する前記指定語数を前記情報テーブルから取得する指定語数取得部と、前記項目識別情報に対応する値の時系列変動を取得し、前記特定の項目識別情報に対応付けられ且つ入力された検索語を含む前記文書識別情報の数を前記情報テーブルから抽出し、前記抽出した検索語を含む文書識別情報の数の時系列情報と前記時系列変動との相関度を取得する相関度取得部と、前記相関度取得部により取得された相関度と、前記指定語数取得部により取得された指定語数とに基づいて、前記検索語と前記項目識別情報との関連度を示す指標値を取得する指標値取得部と、を備える情報処理システムである。
【０００６】
本発明の一態様は、上記の情報処理システムであって、前記指標値取得部は、前記検索語が前記時系列変動に与える影響を示す指標値を取得する。
【０００７】
本発明の一態様は、上記の情報処理システムであって、前記情報テーブルには、前記文書識別情報に対応付けられた文である文情報と、前記文情報ごとの指定語数と、前記文書識別情報に対応付けられた日付が記憶され、前記相関度取得部は、前記文書識別情報に対応付けられた日付に基づいて日ごとに前記検索語を含む前記文書識別情報の数を取得し、前記文書識別情報の数が閾値以上である日付と前記時系列変動の値の変動値が所定値以上である日付との合致度に基づく値を前記文書識別情報の数と前記時系列変動との相関度として取得する。
【０００８】
本発明の一態様は、上記の情報処理システムであって、前記相関度取得部は、前記文書識別情報の数が閾値以上である日付と前記時系列変動の値の変動値が所定値以上である日付とのうち一方または両方の日付をずらして合致度に基づく値を前記文書識別情報の数と前記時系列変動との相関度として取得する。
【０００９】
本発明の一態様は、上記の情報処理システムであって、前記相関度取得部は、前記文書識別情報の数の取得の対象となった日付より前の日付に対応づけられた前記文書識別情報の数に基づいて前記閾値を取得する。
【００１０】
本発明の一態様は、上記の情報処理システムであって、前記指定語は、肯定的な表現を示す肯定語、または否定的な表現を示す否定語であり、前記指標値取得部は、前記指定語が肯定語である場合は、前記相関度取得部により取得された相関度、および前記指定語数取得部により取得された肯定語数に基づいて、前記検索語と前記項目識別情報との肯定的な意味を持つ関連度を示す指標値を取得し、前記指定語が否定語である場合は、前記相関度取得部により取得された相関度、および前記指定語数取得部により取得された否定語数に基づいて、前記検索語と前記項目識別情報との否定的な意味を持つ関連度を示す指標値を取得する。
【００１１】
本発明の一態様は、コンピュータが、時系列に値が変動する項目の識別情報である項目識別情報と、少なくとも１つ以上の文が含まれる文書の識別情報である文書識別情報と、前記文書に含まれる予め指定された評価表現である指定語の数を示す指定語数とが対応付けられた情報テーブルを参照し、特定の前記項目識別情報に対応する前記指定語数を前記情報テーブルから取得する指定語数取得ステップと、前記項目識別情報に対応する値の時系列変動を取得し、前記特定の項目識別情報に対応付けられ且つ入力された検索語を含む前記文書識別情報の数を前記情報テーブルから抽出し、前記抽出した検索語を含む文書識別情報の数の時系列情報と前記時系列変動との相関度を取得する相関度取得ステップと、前記相関度取得ステップにより取得された相関度と、前記指定語数取得ステップにより取得された指定語数とに基づいて、前記検索語と前記項目識別情報との関連度を示す指標値を取得する指標値取得ステップと、を有する情報処理方法である。
【００１２】
本発明の一態様は、コンピュータに、時系列に値が変動する項目の識別情報である項目識別情報と、少なくとも１つ以上の文が含まれる文書の識別情報である文書識別情報と、前記文書に含まれる予め指定された評価表現である指定語の数を示す指定語数とが対応付けられた情報テーブルを参照し、特定の前記項目識別情報に対応する前記指定語数を前記情報テーブルから取得する指定語数取得ステップと、前記項目識別情報に対応する値の時系列変動を取得し、前記特定の項目識別情報に対応付けられ且つ入力された検索語を含む前記文書識別情報の数を前記情報テーブルから抽出し、前記抽出した検索語を含む文書識別情報の数の時系列情報と前記時系列変動との相関度を取得する相関度取得ステップと、前記相関度取得ステップにより取得された相関度と、前記指定語数取得ステップにより取得された指定語数とに基づいて、前記検索語と前記項目識別情報との関連度を示す指標値を取得する指標値取得ステップと、を実行させるためのコンピュータプログラムである。
【発明の効果】
【００１３】
本発明により、利用者にとってより利用価値が高い情報を提供することができる。
【図面の簡単な説明】
【００１４】
【図１】情報処理システム１０が実行する処理の概要を説明するための図である。
【図２】第１の実施形態における情報処理システム１０の機能構成を示す概略ブロック図である。
【図３】アイテムセンテンス記憶部２４に記憶されているアイテムセンテンステーブル２５の一例を示す図である。
【図４】情報処理システム１０により実行される処理の流れを示すフローチャートである。
【図５】ステップＳ１１２の処理詳細の流れを示すフローチャートである。
【図６】時系列相関スコアの算出について説明するための概念図である。
【図７】第２の実施形態の情報処理システム１０Ａの機能構成について説明するための図である。
【図８】アイテム関連語リスト記憶部４６に記憶される情報の一例を示す図である。
【図９】情報登録部４０により実行される処理の流れを示すフローチャートである。
【発明を実施するための形態】
【００１５】
以下、図面を参照し、本発明の情報処理システム、情報処理方法、およびコンピュータプログラムの実施形態について説明する。
【００１６】
（第１実施形態）
図１は、情報処理システム１０が実行する処理の概要を説明するための図である。情報処理システム１０は、例えば検索語として「オリンピック」が入力された場合、ニュースや、ブログ等のテキスト情報を基に構築されたデータベースを検索する。情報処理システム１０は、検索した結果に基づいて、所定のアイテム（項目）と検索語との関係を示す関連指数を算出する。アイテムとは商品名や、株式銘柄など検索結果の出力に期待するものを指す。本実施形態では、一例として検索語に関連する株式銘柄を検索する場合について説明する。
【００１７】
また、情報処理システム１０は、検索語が所定の株式銘柄に対して肯定的な意味を持つと判断されることを示すポジティブスコア（Ｐスコア）、または検索語が所定の株式銘柄に対して否定的な意味を持つと判断されることを示すネガティブスコア（Ｎスコア）を算出する。株式銘柄の場合、肯定的な意味を持つとは、文書内で肯定的に該当銘柄が言及されていたり、該当銘柄の言及のある記事数が株価の上昇傾向と相関していたりすることであり、否定的な意味を持つとは、文書内で否定的に該当銘柄が言及されていたり、該当銘柄の言及のある記事数が株価の下落傾向と相関していたりすることである。情報処理システム１０は、算出した関連指数、Ｐスコア、またはＮスコアを株式銘柄に関する付帯情報や、検索に用いられた文書等と共に出力する。なお、ポジティブスコア（Ｐスコア）は、検索語が所定の株式銘柄に対して肯定的に影響することを示す指標値であってもよい。ネガティブスコア（Ｎスコア）は、検索語が所定の株式銘柄に対して否定的に影響することを示す指標値であってもよい。
【００１８】
情報処理システム１０は、ネットワーク等の通信網を介して外部端末１００から関連を調べたい語を含む検索要求を取得する。情報処理システム１０は、自装置が備えるアイテムセンテンス記憶部２４（後述）とアイテム時系列記憶部２６（後述）とに蓄積されている情報を検索し、関連を調べたい語に関連が高い株式銘柄（アイテム）のリスト（出力アイテムリスト）を生成し、外部端末１００に送信する。
【００１９】
関連の高さは、検索スコア、ポジティブ語スコア、ネガティブ語スコア、ポジティブ時系列相関スコア、ネガティブ時系列相関スコアの５種類のスコアにより表される。情報処理システム１０の処理結果は、５種類のスコアのうち一つを用いても良いし、複数種類のスコアを組み合わせ、スコアの重み付け和等により新たに値を算出してもよい。なお、５種類のスコアの詳細については後述する。
【００２０】
図２は、第１の実施形態における情報処理システム１０の機能構成を示す概略ブロック図である。情報処理システム１０は、ネットワークＮＷを介して外部端末１００に接続される。情報処理システム１０は、１台または複数台の情報処理装置によって構成される。例えば、情報処理システム１０が１台の情報処理装置で構成される場合、情報処理装置は、バスで接続されたＣＰＵ（Central Processing Unit）やメモリや補助記憶装置などを備え、情報処理プログラムを実行する。情報処理プログラムの実行によって、情報処理装置は、要求受信部１２と、制御部（指標値取得部）１４と、検索スコア取得部１６と、ポジネガスコア取得部（指定語数取得部）１８と、時系列相関スコア取得部（相関度取得部）２０と、応答部２２と、アイテムセンテンス記憶部２４と、アイテム時系列記憶部２６とを備える装置として機能する。なお、情報処理システム１０の全てまたは一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、情報処理システム１０は、専用のハードウェアによって実現されてもよい。情報処理プログラムは、コンピュータ読み取り可能な記憶媒体に記憶されても良い。コンピュータ読み取り可能な記憶媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。情報処理プログラムは、電気通信回線を介して提供されてもよい。なお、本実施形態において取得とは、情報処理システム１０、または情報処理装置の上述した機能部が、例えばネットワーク等の通信網を介して他のシステムや、他の装置、他の機能部等から情報を取得することを含む。本実施形態において取得とは、情報処理システム１０、または情報処理装置の上述した機能部が、予め登録された情報テーブルから該当する情報を取得することを含む。更に本実施形態において取得とは、情報処理システム１０または情報処理装置が、取得した情報または保持している情報に基づいて演算処理を行うことを含む。
【００２１】
要求受信部１２は、外部端末１００から関連を調べたい語（検索語）を含む検索要求を取得して制御部１４に出力する。検索要求には、例えば検索語、検索対象ドキュメント種別（ニュースや、ブログ、その他企業に関する文書等、またはこれらの組み合わせ）、スコア計算方法（検索スコア取得部１６、ポジネガスコア取得部１８、または時系列相関スコア取得部２０により算出された算出結果のうち最終的にどの算出結果を出力するか、または算出結果に基づく統合スコアを算出するかを指定）が含まれる。
【００２２】
また、検索要求には、出力銘柄リストソート順（検索スコア、ポジティブ語スコア、ネガティブ語スコア、ポジティブ時系列相関スコア、ネガティブ時系列相関スコアのどのスコアに基づいてソートするかを指定）、出力フォーマット等が含まれる。検索要求には検索語（この語と関連するアイテムを検索することが目的である）が含まれる。検索要求には、その他、対象データの種別（ニュースや、ブログ、決算資料、企業Ｗｅｂサイト、その他銘柄に関するテキストデータ）、検索対象を含めることができる。また、検索要求には、検索スコア取得部１６、ポジネガスコア取得部１８、または時系列相関スコア取得部２０で使用されるパラメータ（後述）、出力する情報に関する指示等を含めることができる。
【００２３】
アイテムセンテンス記憶部２４には、アイテムセンテンステーブル（情報テーブル）２５が格納されている。アイテムセンテンステーブル２５は、ニュースや、ブログ、その他記事等のテキストデータ（以下「ドキュメント（文書）」という。）に基づいて作成される。アイテムセンテンステーブル２５の各レコードは、文書を分割した単位であるセンテンス（文）を登録単位としている。図３は、アイテムセンテンス記憶部２４に記憶されているアイテムセンテンステーブル２５の一例を示す図である。各センテンスに対応付けられて、レコードのＩＤ、データの種別、ドキュメントに対応付けられた（閲覧可能となった）日付、センテンスに関連する株式銘柄の銘柄コード、センテンスを含む記事ＩＤ、記事のリンク先、文書内におけるセンテンスの記事番号、センテンスの本文テキスト、検索用インデクス、ポジティブ語数、およびネガティブ語数が対応付けられて記憶されている。ポジティブ語数とは、センテンス内に存在する事前に設定された肯定的な表現を示す語の数である。ネガティブ語数とは、センテンス内に存在する事前に設定された否定的な表現を示す語の数である。
【００２４】
アイテムセンテンステーブル２５は、ドキュメントの集まりを入力データとして、例えば以下の手順で事前に作成され、アイテムセンテンス記憶部２４に格納される。なお、アイテムセンテンステーブル２５は、情報処理システム１０により以下の手順で作成されてもよいし、後述する第２の実施形態の情報登録部４０により作成されてもよい。
（１）センテンスは、句点やピリオド、または連続した改行等を区切り文字としてドキュメントを分割することで作成される。
（２）各センテンスに対して、公知のテキスト解析法を適用し、品詞情報が付与された形態素等の更に細かい単位に分割しリストを作成する。以下、この単位を「単語」という。「単語」は、言語学における単語や形態素と同一である必要はない。テキスト解析手法として、例えば下記参考文献１に記載された形態素解析ＪＴＡＧ等の公知の技術を用いることができる。また、本処理において助詞、助動詞、指示代名詞等の検索には有用でないと判断した単語はリストから削除してもよい。
［参考文献１］今村賢治、他２名、「テキストからの知識抽出の基盤となる日本語基本解析技術」，ＮＴＴ技術ジャーナル，vоl.20、No.6、p.20-23、2008年
（３）上記（２）で作成された単語を用いて、検索用のインデクスを作成する。
（４）センテンス、または単語のリストに対して評価語抽出手法を適用し、各単語に評価語ラベルを付与する。例えば肯定的な単語であるか否か、または否定的な単語であるか否かに基づいて、例えば「ポジティブ」「ネガティブ」の２種類のラベルを付与する。本処理は、例えば下記参考文献２に記載された公知の評価表現抽出手法等を用いることができる。以下、評価語ラベルとして「ポジティブ」「ネガティブ」の２種類を仮定して説明を行う。
［参考文献２］浅野久子，他３名，「Ｗｅｂ上の口コミを分析する評判情報インデクシング技術」，ＮＴＴ技術ジャーナル，vоl.20、No.6、p.12-15、2008年
（５）上記（４）で付与されたラベル種別およびセンテンスごと、ラベル種別ごとに集計し、アイテムセンテンス記憶部２４に上述した処理結果を記憶させる。
（６）銘柄コードは、センテンスに関連する銘柄を特定するコードであり、アイテムセンテンス記憶部２４に格納されたコードテーブルに基づいて指定される。なお、コードテーブルには、銘柄と銘柄を特定するコードとが対応付けられている。例えばセンテンスにある銘柄が含まれている場合、該当するセンテンスにある銘柄コードが対応付けられる。
【００２５】
アイテム時系列記憶部２６には、株式銘柄に対応する株価の変動が時系列に対応付けられたアイテム時系列情報（時系列変動）が記憶されている。アイテムが商品名である場合、該当商品の日ごとの売上数等である。
【００２６】
制御部１４は、取得した検索要求を解析し、アイテムセンテンス記憶部２４から解析結果に対応する情報を抽出する。制御部１４は、検索スコア取得部１６、ポジネガスコア取得部１８、または時系列相関スコア取得部２０に抽出した情報を出力する。制御部１４は、検索スコア取得部１６、ポジネガスコア取得部１８、または時系列相関スコア取得部２０により算出された算出結果に基づいて、種々の情報間の相関度を算出する。また、制御部１４は、時系列相関スコア取得部２０により算出された相関度、およびポジネガスコア取得部１８により算出された算出結果に基づいて、検索語と株式銘柄がどれだけ肯定的な意味における関連性、または否定的な意味における関連性を持っているかを示す指標値を算出する。
【００２７】
検索スコア取得部１６は、制御部１４により抽出された情報に基づいて、検索結果をスコアとして算出する。ポジネガスコア取得部１８は、制御部１４により抽出された情報に含まれるポジティブな表現を表す語の数、またはネガティブな表現を表す語の数に基づいて、株式銘柄ごとにポジティブ語スコアまたはネガティブ語スコアを算出する。時系列相関スコア取得部２０は、アイテム時系列情報を取得する。時系列相関スコア取得部２０は、アイテム時系列情報、およびアイテムセンテンステーブル２５に含まれる情報に基づいて、検索語を含むドキュメントの数の時系列情報（検索語時系列情報）とアイテム時系列情報との相関度を算出する。応答部２２は、制御部１４から取得した情報を外部端末１００にネットワークＮＷを介して送信する。
【００２８】
図４は、情報処理システム１０により実行される処理の流れを示すフローチャートである。まず、制御部１４が、要求受信部１２から検索要求を取得するまで待機する（ステップＳ１００）。検索要求を取得すると、制御部１４は、取得した検索要求を解析し（ステップＳ１０２）、アイテムセンテンス記憶部２４から解析結果に対応する情報を抽出する（ステップＳ１０４）。次に、制御部１４は、抽出された情報に基づいて、同一の銘柄コードを含むレコードを抽出する（ステップＳ１０６）。
【００２９】
次に、ステップＳ１０８からステップＳ１１２の処理では、ステップＳ１０６で抽出された同一の銘柄コードごとに各処理を実行する。検索スコア取得部１６が、ステップＳ１０６で抽出されたレコードに対応するセンテンス数に基づいて、銘柄コードの検索スコアを算出する（ステップＳ１０８）。検索スコアは、検索語が含まれ、且つ同一の銘柄コードが対応付けられたセンテンス数に基づいて算出される。なお、検索スコアは、図１で示した関連指数に相当する。
【００３０】
検索スコアとして上記センテンス数を用いることができるが、例えば抽出されたセンテンス数の平均値が１／λ、標準偏差が１／λの指数分布に従うと仮定し、指数分布の累積分布関数を用いて検索スコアの値が０から１００の間の値を満たすように、例えば式（１）を用いて算出してもよい。
【数１】
0006554306.tif 000002
ここでλは実定数であり、検索スコア取得部１６の記憶領域に事前に設定値として保存しておく。なお、式（１）代えて、その他の累積分布関数を用いてもよい。また、検索スコア取得部１６は、単純にセンテンス数をカウントする代わりに、センテンス数に対して重み付けを行ってもよい。例えば検索スコア取得部１６は、センテンスに対応付けられた日付が検索スコアの算出時に近いセンテンスほど大きな重みをかけて和をとるようにしてもよい。また、ニュースやブログなど種別の異なる文書からのセンテンス情報がアイテムセンテンステーブルに含まれる場合、種別ごとに別々に検索スコアを算出し、予め決められた重みを用いて種別ごとの検索スコアの重みづけ和として最終的な検索スコアを決定してもよい。
【００３１】
次に、ポジネガスコア取得部１８が、ステップＳ１０６で抽出された同一の銘柄のレコードのセンテンスに含まれるポジティブ語数、およびネガティブ語数に基づいて、ポジティブ語スコアＴｐ、およびネガティブ語スコアＴｎを算出する（ステップＳ１１０）。ポジティブ語スコアＴｐは、銘柄コードごとにポジティブ語数を加算したカウント数Ｃｐに基づいて算出される。また、ネガティブ語スコアＴｎは、銘柄コードごとにネガティブ語数を加算したカウント数Ｃｎに基づいて算出される。ポジティブ語スコアＴｐ、またはネガティブ語スコアＴｎは、それぞれＣｐ、Ｃｎの値をそのまま用いてもよいが、検索スコアと同様に前述した式（１）等の関数を用いて正規化された数値を算出してもよい。
【００３２】
次に、時系列相関スコア取得部２０が、時系列相関スコア（ポジティブスコア、およびネガティブスコア）を算出する（ステップＳ１１２）。時系列相関スコア、ポジティブスコア、およびネガティブスコアの算出手法の詳細については後述する。次に、制御部１４は、ステップＳ１０８からステップＳ１１２で算出された算出結果を整形する（ステップＳ１１４）。例えば制御部１４は、検索要求で出力する複数銘柄コードのソート順が指定されている場合には、算出された各スコアに基づいて銘柄リストをソートして、所定のフォーマットに整形する。所定のフォーマットとは、ＪＳＯＮ形式や、ＸＭＬ形式、ＣＳＶ形式等の検索要求で指定された形式である。次に、応答部２２は、ステップＳ１１４で制御部１４により整形された所定のフォーマットの銘柄リストを外部端末１００に送信する（ステップＳ１１６）。これにより外部端末１００には、情報処理システム１０により生成された銘柄リストが表示される。銘柄リストには、銘柄コード（銘柄名）、検索スコア、ポジティブ語スコア、ネガティブ語スコア、後述する時系列相関スコア、後述するポジティブスコア、後述するネガティブスコア、検索されたドキュメント名、ＵＲＬ等の文書の情報リスト、順位のうち全部、または一部が含まれる。
【００３３】
［時系列相関スコア、ポジティブスコア、およびネガティブスコアの算出手法］
時系列相関スコア取得部２０は、アイテムセンテンス記憶部２４から抽出された情報に基づいて取得された検索語時系列情報と、アイテム時系列記憶部２６に記憶されたアイテム時系列情報と、に基づいて時系列相関スコアを算出する。検索語時系列情報とは、制御部１４によりアイテムセンテンステーブル２５から抽出されたアイテムの時系列変動を示した情報である。検索語時系列情報とは、例えば検索語の日ごとの出現頻度の配列（後述の「ドキュメントカウント値時系列情報」）等である。
【００３４】
時系列相関スコアとは、検索語時系列情報と、アイテム時系列情報との関連度を示す度合である。また、時系列相関スコアには、例えばポジティブ時系列相関スコアＳｐおよびネガティブ時系列相関スコアＳｎが含まれる。ポジティブ時系列相関スコアＳｐとは、検索語時系列情報と、アイテム時系列情報との関連度において肯定的な関連を示すスコアである。ネガティブ時系列相関スコアＳｎとは、検索語時系列情報と、アイテム時系列情報との関連度において否定的な関連を示すスコアである。
【００３５】
一般的に、時系列相関スコアを求めるとき、単純に検索語時系列情報と、アイテム時系列情報とのピアソンの積率相関係数を求める場合がある。この場合、検索語の日ごとの出現頻度の全体的な傾向の類似性を示すが、例えば検索語が多量に出現した日、またはその直後に株価が上昇した場合、または下落した場合が考慮された時系列相関スコアにはならない。
【００３６】
また、他の方法として、例えば下記参考文献３に記載された株価と記事等のテキストデータの関連性に基づいて銘柄にスコアを付与する技術がある。この方法では、文書に含まれる各単語の株価変動に対する寄与度に基づき各単語にスコアを付与している。本手法により時系列相関スコアを算出する場合、すべての単語に関して主成分解析や、回帰分析等の統計解析結果を事前に算出して保持する必要があり、記事が追加される度に再計算が必要となる。このため、必要となる銘柄コード等のアイテムに対して直接スコアを付与するものでないため、銘柄コード間の比較に本手法を用いることができない場合がある。
［参考文献３］敷地琢哉，和泉潔，「複数のテキスト情報を用いた株式市場動向の分析」，人口知能学会研究会資料，SIG-FIN-013-09、2014年
【００３７】
本実施形態では以下の手法により、時系列相関スコア取得部２０が時系列相関スコアを算出する。ここでは、アイテムは株式の銘柄コードを表すものとする。また、アイテムセンテンス記憶部２４に蓄積される情報は、日付と文書を含むニュース記事から作成されたものとする。また、アイテム時系列記憶部２６に記憶される情報は、株式の株式コードごとに蓄積された日ごとの株価（終値など）である。アイテムは、株式の銘柄コードに限らず、アイテムに対応する値が日ごとに変動するアイテムであればよい。また、アイテム時系列記憶部２６に記憶される情報は、アイテムセンテンステーブルの日付（または時刻）情報の単位と同一の単位を持つ時系列データであればよい。
【００３８】
図５は、ステップＳ１１２の処理詳細の流れを示すフローチャートである。図６は、時系列相関スコアの算出について説明するための概念図である。
【００３９】
まず、時系列相関スコア取得部２０は、ステップＳ１１０でポジティブ語スコアＴｐ、およびネガティブ語スコアＴｎが算出された銘柄コードに対応する株価を抽出する（ステップＳ１５０）。この場合、時系列相関スコア取得部２０は、初期設定された期間Ｄｓ日（以下、「株価相関値計算期間」という。）、および期間Ｄｓの直前の営業日の株価を抽出する。なお、時系列相関スコア取得部２０は、アイテム時系列記憶部２６に記憶されているすべての銘柄コードの株価を抽出してもよい。また、株価相関値計算期間は、外部端末１００から送信された検索要求に含まれる情報に基づいて設定されてもよい。なお、株価相関値計算期間は、例えば検索要求発出日の前日から遡った１年間である。
【００４０】
次に、時系列相関スコア取得部２０は、抽出された株価に基づいて株価上昇日集合Ｇｐ、および株価下落日集合Ｇｎの２種類の日付集合を算出する（ステップＳ１５２）。株価上昇日集合Ｇｐは、前日（または前市場営業日）に比べてｓ+％以上上昇した日である。株価下落日集合Ｇｎは、前日（または前市場営業日）に比べてｓ−％以上下落した日である。時系列相関スコア取得部２０は、ｓ+、およびｓ−の値として、例えば２％等と設定する。株式市場全体の変動の影響を取り除くため、時系列相関スコア取得部２０は、ｓ+％、およびｓ−％の設定値として、株式市場の指標（例えば日経平均やＴＯＰＩＸ等）の上昇率、下落率を動的に加算するようにしてもよい。
【００４１】
時系列相関スコア取得部２０は、制御部１４にて取得した検索結果に基づき、対象の株式銘柄についてドキュメント出現日Ｗｐの集合を算出する（ステップＳ１５４）。時系列相関スコア取得部２０は、アイテムセンテンス記憶部２４からＳ１０４にて取得された検索語を含むセンテンスについて、センテンスに対応付けられているドキュメントの異なり数を日ごとに算出する。単純に日ごとのセンテンス数を用いてもよい。時系列相関スコア取得部２０は、株価相関値計算期間Ｄｓとその直前Ｄｗ日を合わせたＤｓ+Ｄｗ日分の銘柄コードに対応するドキュメントの数を日ごとに算出する。以下、時系列相関スコア取得部２０により算出されたドキュメントの数（またはセンテンスの数）を「ドキュメントカウント値時系列情報」という。また、時系列相関スコア取得部２０は、株価相関値計算期間Ｄｓにおいて閾値Θを超える日付で構成されるドキュメント出現日集合Ｗｐを算出する。
【００４２】
Θの値については、予め設定された値を用いてもよいが、時期により記事数が変わる場合の影響を取り除くために、以下のような方法で動的に決定してもよい。すなわち、時系列相関スコア取得部２０は、株価相関値計算期間の各日付について、株価相関値計算期間前の過去Ｄｗ日（例えば図６のＤｗ日）のドキュメントカウント値に含まれるドキュメント数（センテンス数）に基づいて閾値Θを求める。例えば図６の「Ｘ」に示す日が閾値Θを超える日付に該当するかを判定する場合、図中「過去Ｄｗ＃日」に基づいて閾値Θが決定される。このようにドキュメントの数（センテンス数）を算出する対象の日の直前の過去日をＤｗ日として閾値を算出することで、適切にドキュメント出現日集合Ｗｐを算出することができる。
【００４３】
閾値Θは、例えば過去Ｄｗ日間のドキュメントカウント値の平均をμ、標準偏差をσとして、式（２）を用いて算出することができる。ここで、αの値は、事前に設定される値であり、例えばα＝１．０である。
【数２】
0006554306.tif 000003
【００４４】
時系列相関スコア取得部２０は、ドキュメント出現日集合Ｗｐと株価上昇日集合Ｇｐとの合致度に基づいてポジティブ時系列相関スコアＳｐを算出する（ステップＳ１５６）。また、時系列相関スコア取得部２０は、ドキュメント出現日集合Ｗｐと株価下落日集合Ｇｎとの合致度に基づいてネガティブ時系列相関スコアＳｎを算出する（ステップＳ１５８）。時系列相関スコア取得部２０は、例えば式（３）示すようにダイス係数等の数式を用いて、ポジティブ時系列相関スコアＳｐ、およびネガティブ時系列相関スコアＳｎを算出する。
【数３】
0006554306.tif 000004
ここで、Ｇｘは、株価上昇日集合Ｇｐまたは株価下落日集合Ｇｎを示す。Ｓｘは、Ｇｘに対応したポジティブ時系列相関スコアＳｐ、またはネガティブ時系列相関スコアＳｎを示す。絶対値記号は各集合の要素数を表す。Ｇｘ∩Ｗｐは、ＧｘとＷｐが共通して含む日付からなる集合である。
【００４５】
時系列相関スコア取得部２０は、アイテム時系列情報に対してドキュメントが影響を与えるタイムラグを適用したスコアを算出するか否かを判定する（ステップＳ１６０）。何日分のラグを適用するかを予め設定して、Ｓ１６０を省略してもよい。上述した式（３）は、ドキュメント出現日と株価（時系列）が、上昇した日または下落した日の共通した割合が高い銘柄と検索語のペアに対して高いスコアを与えるものである。ドキュメント出現日の１日後や２日後に株価が変動した銘柄と検索語のペアに興味がある場合には、例えば外部端末１００から送信される指示に基づいて、時系列相関スコア取得部２０が日付のタイムラグを適用したスコアを算出する。
【００４６】
タイムラグを適用したスコアを算出すると判定された場合、時系列相関スコア取得部２０は、日付のタイムラグを適用したポジティブ時系列相関スコアＳｐ、またはネガティブ時系列相関スコアＳｎを算出する（ステップＳ１６２）。具体的には時系列相関スコア取得部２０は、ｉ日前のドキュメント出現日と株価上昇日／下落日の共通部分に注目したスコアを算出する。時系列相関スコア取得部２０は、ｉ＝１、２、…ｎに対してドキュメント出現日集合Ｗｐに含まれる各日付をｉ日後にずらした新たなドキュメント出現日集合Ｗｐｉを作成する。時系列相関スコア取得部２０は、各Ｗｐｉに対して上述した式（３）を適用して、ポジティブ時系列相関スコアＳｐｉ、またはネガティブ時系列相関スコアＳｎｉを算出する。
【００４７】
そして、時系列相関スコア取得部２０は、式（４）を用いて重み付け和を実行し、最終的なポジティブ時系列相関スコアＳｐｉ、またはネガティブ時系列相関スコアＳｎｉを算出する。
【数４】
0006554306.tif 000005
ここで、Ｓｘ’は、ポジティブ時系列相関スコアＳｐまたはネガティブ時系列相関スコアＳｎを表し、ＳｘｉはＳｐｉまたはＳｎｉのいずれかを表している。Ｓｐ０＝Ｓｐ、Ｓｎ０＝Ｓｎとする。また、ｗｉは、予め設定された値である。なお、ドキュメント出現日集合Ｗｐｉの作成に代えて、株価上昇日集合Ｇｐまたは株価下落日集合Ｇｎに含まれる各日付をｉ日前にずらした株価上昇日集合Ｇｐｉまたは株価下落日集合Ｇｎｉを作成してもよい。
【００４８】
次に、制御部１４は、ポジティブスコアＩｐ、およびネガティブスコアＩｎを算出する（ステップＳ１６４）。制御部１４は、検索スコア取得部１６、ポジネガスコア取得部１８、および時系列相関スコア取得部２０から銘柄ごとの算出結果を取得する。制御部１４は、検索スコア取得部１６から検索スコアのリストを取得する。制御部１４は、ポジネガスコア取得部１８からポジティブ語スコアとネガティブ語スコアのリストを取得する。制御部１４は、時系列相関スコア取得部２０からポジティブ時系列相関スコアとネガティブ時系列相関スコアのリストを取得する。
【００４９】
制御部１４は、ポジネガスコア取得部１８と時系列相関スコア取得部２０の結果を統合して、ポジティブ、ネガティブそれぞれについて指標を一つに統合する。ポジティブ語カウント数Ｃｐとポジティブ時系列相関スコアＳｐを統合し、ポジティブスコアＩｐを算出する。制御部１４は、ネガティブ語カウント数Ｃｎとネガティブ時系列相関スコアＳｎを統合し、ネガティブスコアＩｎを算出する。制御部１４は、例えば式（５）を用いて算出された換算カウント数を用いて、この換算カウント数をカウント数とみなすことで、例えば式（１）を適用し、ポジティブスコアＩｐ（Ｐスコア）およびネガティブスコアＩｎ（Ｎスコア）を算出する。
【数５】
0006554306.tif 000006
ここで、Ｃｘは、ポジティブ語カウント数Ｃｐまたはネガティブ語カウント数Ｃｎを表す。βは、予め設定されたパラメータであり、例えばβ＝１．０または２．０等の値である。
【００５０】
以上説明した第１の実施形態の情報処理システム１０によれば、時系列相関スコア取得部２０により算出された検索語の出現度と株価の変動との相関度と、ポジネガスコア取得部１８により算出されたポジティブ語数（またはネガティブ語数）とに基づいて算出された、検索語と株式銘柄等アイテムの関連の強さを示す指標値を、指定された、ポジティブ、ネガティブ等、複数の種類の意味合いや文脈に対してそれぞれ算出するため、利用者にとって利用価値が高い情報を提供することができる。
【００５１】
（第２実施形態）
以下、第２の実施形態について説明する。第２の実施形態は、情報登録部４０が記事プロバイダ６０、および時系列データプロバイダ７０から各スコアを算出するための情報を取得し、アイテムセンテンス記憶部２４またはアイテム時系列記憶部２６に記憶させる点で第１の実施形態とは異なる。以下、この相違点を中心に説明する。
【００５２】
図７は、第２の実施形態の情報処理システム１０Ａの機能構成について説明するための図である。外部端末１００は、ネットワークＮＷを介してユーザ端末１１０、１２０、および１３０と通信可能に接続されている。第２の実施形態では、例えば外部端末１００がユーザ端末１１０、１２０、または１３０から検索要求を受け付け、受け付けた検索要求を要求受信部１２に送信する。また、外部端末１００が、応答部２２から情報処理システム１０Ａにより処理された処理結果を取得する。外部端末１００は、取得した処理結果を、処理結果を含む所定の画像に生成してユーザ端末１１０、１２０、または１３０に送信する。
【００５３】
情報処理システム１０Ａは、第１の実施形態の情報処理システム１０の機能構成に加え、更に情報登録部４０を備える。情報登録部４０は、アイテムセンテンス登録部４２と、アイテム抽出部４４と、アイテム関連語リスト記憶部４６と、アイテム時系列情報登録部４８とを備える。
【００５４】
アイテムセンテンス登録部４２は、記事を作成または収集して配信する外部の記事プロバイダ６０からネットワークＮＷを介してテキストで記述された記事（ニュースや、ブログ等）のドキュメントを取得する。アイテムセンテンス登録部４２は、取得したドキュメントから必要情報を抽出し、センテンス単位でアイテムセンテンス記憶部２４に抽出した必要情報を記憶させる。必要情報とは、例えば日付や、ＵＲＬ等の記事へのリンク、タイトル、記事本文等である。
【００５５】
アイテム抽出部４４は、アイテムセンテンス登録部により取得されたドキュメントにおいて、後述するアイテム関連語リスト記憶部４６に記憶されている１つまたは複数の関連語（以下、「アイテム関連語」という。）がドキュメントに含まれているか否かを判定する。アイテム抽出部４４は、判定した結果に基づいて各ドキュメントに含まれるアイテムをリスト化したアイテムリストを出力する。この処理は、通常使用される文字列検索技術を用いてもよいし、ドキュメントを形態素解析して得られる形態素に基づいて生成した検索インデクスを利用してもよい。例えば文字列検索技術として、ＵＮＩＸ（登録商標）系のコンピュータで標準的に使用されるｇｒｅｐコマンドを用いてもよい。
【００５６】
アイテムとして、例えば株式銘柄を考えた場合、銘柄名が一般名詞や地名などの別の固有名詞と同一の文字列として表現される場合がある。このような場合にアイテムの誤抽出を避けるために、ドキュメントに含まれる単語や形態素に対して、「組織名」、「地名」、「人名」、「日付」等のラベルを付与する手法である固有表現抽出を適用し、アイテムの関連語が「組織名」とラベル付けされた場合のみ、アイテム抽出部４４がアイテムを抽出してもよい。固有表現抽出については、例えば上記参考文献１や、下記参考文献４にあるような公知の技術を用いることができる。
［参考文献４］磯崎秀樹、賀沢秀人、「固有表現抽出のためのＳＶＭの高速化」、情報処理学会論文誌、vol.44.No.3、p.970-979、2003年
【００５７】
アイテム関連語リスト記憶部４６には、アイテム名（銘柄）と、アイテム名に関連する関連語とが対応付けられて記憶される。図８は、アイテム関連語リスト記憶部４６に記憶される情報の一例を示す図である。例えばアイテム名が社名の場合、社名の略称や、社名に対応する会社が提供している商品またはサービス等がアイテム関連語として記憶されている。
【００５８】
アイテム時系列情報登録部４８は、アイテムに関する時系列データを作成または収集して配信する外部の時系列データプロバイダ７０からネットワークＮＷを介して時系列データを取得する。例えばアイテムが株式銘柄の場合、時系列データは、各銘柄の所定時間ごと、または所定時期ごとの株価を含む情報である。
【００５９】
図９は、情報登録部４０により実行される処理の流れを示すフローチャートである。まず、アイテムセンテンス登録部４２は、記事プロバイダ６０からドキュメントリストを取得し、取得したドキュメントリストを読み込む（ステップＳ２００）。次に、アイテムセンテンス登録部４２は、読み込んだドキュメントリストにドキュメントが含まれているか否かを判定する（ステップＳ２０２）。ドキュメントが含まれていない場合、本フローチャートの処理は終了する。
【００６０】
ドキュメントリストにドキュメントが含まれている場合、アイテム抽出部４４が、ドキュメントから関連するアイテムを抽出し、アイテムリストを生成する（ステップＳ２０４）。次に、アイテム抽出部４４は、アイテムリストの生成が１件以上存在するか否かを判定する（ステップＳ２０６）。生成されたアイテムリストが存在しない場合、本フローチャートの処理は終了する。
【００６１】
アイテムリストの生成が１件以上存在する場合、アイテムセンテンス登録部４２は、ピリオドや、句点、連続する改行に基づいてドキュメントをセンテンス単位に分割する（ステップＳ２０８）。
【００６２】
次に、アイテムセンテンス登録部４２は、分割したセンテンスごとにステップＳ２１０からステップＳ２１４の処理を実行する。アイテムセンテンス登録部４２は、公知の形態素解析技術を用いてセンテンスを「単語」に分割し、各単語をキーとする検索インデクスを生成する（ステップＳ２１０）。アイテム抽出部４４が、ステップＳ２０４で検索インデクスを生成した場合は、アイテム抽出部４４により生成された検索インデクスを用いてもよい。
【００６３】
次に、アイテムセンテンス登録部４２は、ポジティブ語およびネガティブ語の抽出を行い、ポジティブ表現およびネガティブ表現を示す形態素または単語の数をそれぞれ算出する（ステップＳ２１２）。アイテムセンテンス登録部４２は、例えば事前に用意されたポジティブ表現（例えば「美しい」「向上」・・・）のリストなどに基づいて、ポジティブ表現またはネガティブ表現を抽出してもよいし、参考文献２に記載されているような公知の評価表現抽出技術を用いてもよい。このとき、アイテムセンテンス登録部４２は、例えば抽出したポジティブ表現またはネガティブ表現の数をアイテムセンテンス記憶部２４に登録してもよい。次に、アイテムセンテンス登録部４２は、アイテムセンテンステーブル２５と同様のリストを生成し、アイテムセンテンス記憶部２４に生成したリストを登録する（ステップＳ２１４）。これにより本フローチャートの処理は終了する。
【００６４】
上述した情報登録部４０により実行される処理では、同じドキュメントに含まれるセンテンスに対しては常に同じアイテムリストが割り当てられるという方法である。しかしながら、ドキュメントの前半と後半とで全く異なる銘柄についての記述となっている場合がある。この場合であっても、以下の方法により各センテンスに対するアイテムリストを絞ることができる。
【００６５】
（１）各センテンスにおいて、センテンスの中にアイテム関連語が含まれないアイテムはアイテムリストから除外した一時アイテムリストを生成する（各センテンス中にアイテム関連語が含まれるアイテムのみを残す。）
（２）上記（１）を各ドキュメント内のセンテンスに適用した後、各センテンスにおいて、その前後ｎｌレコードのセンテンスについて一時アイテムリストを結合し、重複を排除したものを新たなアイテムリストとして登録する（前後ｎｌレコード以内に含まれるアイテムのみを使用する）。なお、ｎｌは事前に設定しておく。また、アイテムセンテンス登録部４２は、事前に設定された保存期間（例えば１年間）を経過したセンテンスを削除する処理を、定期的または登録処理時に実行してもよい。
【００６６】
以上説明した第２の実施形態の情報処理システム１０Ａは、アイテムセンテンス登録部４２が、記事プロバイダ６０から取得したドキュメントリストに基づいて、形態素解析、およびポジティブ語およびネガティブ語の抽出等を行ってアイテムセンテンステーブル２５と同様のリストを生成する。この結果、情報処理システム１０が指標値を算出するために用いる情報を適切に生成することができる。
【００６７】
なお、本実施形態では、一例としてアイテムを株式銘柄として説明したが、アイテムは株式銘柄に限られない。アイテムは、例えばアイテムに付与された値が時系列に変動するものであればよい。例えばアイテムは、価格が変動する商品や、サービス、または指標であってもよい。アイテムは、例えば石油や、先物取引の銘柄、為替、各種有価証券、物価の上昇率、テレビ番組の視聴率、商品の売上等であってもよい。
【００６８】
上述した実施形態における情報処理システム１０の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６９】
以上、この発明の実施形態について図面を参照して詳述してきたが、具体的な構成はこの実施形態に限られるものではなく、この発明の要旨を逸脱しない範囲の設計等も含まれる。
【符号の説明】
【００７０】
１０…情報処理システム、１２…要求受信部、１４…制御部、１６…検索スコア取得部、
１８…ポジネガスコア取得部、２０…時系列相関スコア取得部、２２…応答部、２４…アイテムセンテンス記憶部、２６…アイテム時系列記憶部、４０…情報登録部、４２…アイテムセンテンス登録部、４４…アイテム抽出部、４６…アイテム関連語リスト記憶部、４８…アイテム時系列情報登録部
【図１】
0006554306.tif 000007
【図２】
0006554306.tif 000008
【図３】
0006554306.tif 000009
【図４】
0006554306.tif 000010
【図５】
0006554306.tif 000011
【図６】
0006554306.tif 000012
【図７】
0006554306.tif 000013
【図８】
0006554306.tif 000014
【図９】
0006554306.tif 000015